(57)【要約】  ポータブルデバイスの特性に自動的に結合されるデジタル作品をダウンロードする方法が開示され、組み込みシステムを用いてデジタル権利保護の技術に言及する。この方法は、ポータブルデバイスに対するデジタル作品の便利で安全な結合を実現する。ポータブルデバイスの記憶領域は、デジタルコンテンツ、およびポータブルデバイスがネットワーク端末に接続されたあとに自動的に実行される実行可能なプログラムを格納する。この方法により、著作権保護されたデジタルコンテンツが購入または借用され、ポータブルデバイスにダウンロードできる。
2009516884.tif 000002
【特許請求の範囲】
【請求項１】
ポータブルデバイスの特性に自動的に結合されるデジタル作品をダウンロードする方法であって、
ｉ）前記ポータブルデバイス（１）をネットワーク端末（２）に汎用ポートを介して接続するステップであって、前記ポータブルデバイス（１）は、ストレージデバイスとして前記ネットワーク端末により識別されるストレージモジュール（４）および前記ストレージモジュール（４）内に格納される実行可能なプログラムを備え、前記ネットワーク端末は、インターネットにアクセスできる、接続するステップと、
ｉｉ）デジタル作品の取引を処理するサーバ（３）にアクセスするために、前記ネットワーク端末（２）により前記実行可能なプログラムを自動的に実行するステップと、
ｉｉｉ）前記ネットワーク端末（２）を介してデジタル作品を購入または借用し、前記デジタル作品を前記ポータブルデバイス（１）にダウンロードするステップであって、前記実行可能なプログラムは、前記デジタル作品がダウンロードのためにクリックされたあとに、前記ポータブルデバイス（１）の特性を暗号化し、次に前記暗号化された特性を前記サーバ（３）に送信し、前記デジタル作品は、前記暗号化された特性が前記デジタル作品に結合されたあとに、前記ポータブルデバイス（１）にダウンロードされるステップと
を含むことを特徴とする方法。
【請求項２】
前記ストレージモジュール（４）は、前記ネットワーク端末により実行可能であるが削除不可能である前記実行可能なプログラムを格納するように構成された読み取り専用ストレージを含むことを特徴とする請求項１に記載の方法。
【請求項３】
前記実行可能なプログラムおよび前記デジタル作品は、前記ネットワーク端末内のストレージデバイスとしてマッピングされる前記ストレージモジュール（４）内に格納されることを特徴とする請求項２に記載の方法。
【請求項４】
前記ポータブルデバイスは、前記ネットワーク端末内の複数のストレージデバイスとしてマッピングされる複数のストレージを備え、少なくとも１つのストレージは、前記実行されるプログラムを格納する読み取り専用ストレージであり、それ以外のストレージは、デジタル作品および他の著作権保護されたデータを格納する読み取り可能および書き込み可能なストレージであることを特徴とする請求項２に記載の方法。
【請求項５】
前記ステップｉｉ）およびｉｉｉ）で、前記サーバ（３）に送信される前記ポータブルデバイスの前記特性は、前記サーバ（３）にログインするための識別子として動作することを特徴とする請求項１に記載の方法。
【請求項６】
前記実行可能なプログラムにより前記サーバ（３）に送信される前記特性は、暗号化されたデータであることを特徴とする請求項５に記載の方法。
【請求項７】
前記実行可能なプログラムが前記サーバ（３）にログインし、前記デジタル作品を購入または借用するインタフェースにアクセスし、前記デジタル作品がダウンロードのためにクリックされたあとに、前記特性は前記デジタル作品に結合され、次に前記ポータブルデバイス（１）の前記特性に結合された前記デジタル作品は、前記ポータブルデバイス（１）の前記ストレージモジュール（４）内に直接ダウンロードおよび格納されることを特徴とする請求項５に記載の方法。
【請求項８】
前記実行可能なプログラムが前記サーバ（３）にログインし、前記デジタル作品を購入または借用するインタフェースにアクセスするためにウェブブラウザを起動し、前記デジタル作品がダウンロードのためにクリックされたあとに、前記特性は前記デジタル作品に結合され、次に前記ポータブルデバイス（１）の前記特性に結合された前記デジタル作品は、前記ポータブルデバイス（１）の前記ストレージモジュール（４）内に直接ダウンロードおよび格納されることを特徴とする請求項５に記載の方法。
【請求項９】
前記ポータブルデバイス（１）の前記送信された特性は前記サーバ（３）内に格納され、前記サーバ（３）により管理され、前記デジタル作品がユーザにより選択されたあとで、前記サーバ（３）は前記ポータブルデバイス（１）の前記送信された特性を用いることにより前記デジタル作品の認証情報を暗号化し、次に前記暗号化されたデジタル作品は前記ポータブルデバイス（１）にダウンロードされることを特徴とする請求項６に記載の方法。
【請求項１０】
前記ポータブルデバイス（１）の前記特性は、前記ポータブルデバイスが製造されるときに前記実行可能なプログラム内に書き込まれ、前記実行可能なプログラムにより直接読み取り可能であるか、または前記ポータブルデバイス（１）の前記特性は、前記ポータブルデバイス（１）を前記ネットワーク端末（２）に接続する前記ポートを介して前記実行可能なプログラムにより読み取られることを特徴とする請求項１に記載の方法。
【発明の詳細な説明】
【技術分野】
【０００１】
本発明は、組み込みシステムを用いてデジタル作品をダウンロードする技術に関し、より詳細には、ポータブルデバイスの特性をデジタル作品に自動的に結合(bind)することによるデジタル作品の著作権の保護することに関する。
【背景技術】
【０００２】
情報技術およびインターネットの発達につれて、より多くのデジタル作品およびデジタル情報が発生している。一方で、様々な著作権侵害の技術が存在するために、作品の所有者に大きな損害を負わせてデジタル作品が違法に使用される可能性がある。デジタル権利管理技術は、所有者の利益を保護し、デジタル作品の使用が該当の所有者の許可のもとにあることを保証するものである。
【０００３】
さらに、専用の電子書籍リーダ、ＭＰ３およびＭＰ４プレイヤー、ＰＤＡ（ｐｅｒｓｏｎａｌ  ｄｉｇｉｔａｌ  ａｓｓｉｓｔａｎｔ）、インテリジェント携帯電話ならびに他のポータブルデバイスの発達と共に、ますます多くのデジタル作品が、それらのポータブルデバイスにおいて使用できる。したがって、デジタル作品がこれらのデバイスで使用されるときに、デジタル作品の著作権の保護が必要となる。
【０００４】
一般に、ポータブルデバイスは、費用効果のためにネットワーキング機能を伴って構成されていない。デジタル作品は、第１にコンピュータにダウンロードされ、次に使用のためにポータブルデバイスに送信されなければならない。デジタル権利管理のために、コンピュータを介してデジタル作品を購入およびダウンロードし、次にポータブルデバイスにそのデジタル作品を送信することは非常に複雑である。インテリジェント携帯電話またはＰＤＡのようないくつかのポータブルデバイスは、インターネットにアクセスできるが、限られたリソースのために、著作権保護されたデジタル作品をダウンロードすることは時間の浪費である。さらに、セキュリティは保証できない。
【０００５】
Ｓａｎｄｉｓｋ社のＢｏｏｋｌｏｃｋｅｒは、Ｕディスクの一種である。Ｂｏｏｋｌｏｃｋｅｒの専用のソフトウェアは、ＢｏｏｋｌｏｃｋｅｒがＰＣに接続されたあとに、電子書籍をダウンロードおよび読み取りするために起動されることが可能である。この処理は非常に便利であるが、以下の理由によりポータブルデバイスに適用できない。第１に、Ｂｏｏｋｌｏｃｋｅｒは、もともとＰＣと共に使用されるように設計されている。ＰＣなしではＢｏｏｋｌｏｃｋｅｒは動かない。それとは反対に、ポータブルデバイスは、ＰＣを必要とせずに動くように設計されている。さらに、Ｂｏｏｋｌｏｃｋｅｒは、そのストレージユニットをダウンロードされた電子書籍を格納するセキュアな領域とオープン領域とに分割する。セキュアな領域内のコンテンツは、このＢｏｏｋｌｏｃｋｅｒによってのみ読み取りおよび書き込みが可能である。しかし、セキュアな領域内に格納されたコンテンツは、Ｂｏｏｋｌｏｃｋｅｒのいかなる特性によっても結合されない。さらに、Ｂｏｏｋｌｏｃｋｅｒのセキュアな領域は、Ｂｏｏｋｌｏｃｋｅｒのソフトウェアにより専用のポートを介して読み取りおよび書き込み可能であり、セキュアな領域内のコンテンツはＰＣにより読み取りおよび書き込み可能で、これがセキュリティの問題を取り込む可能性がある。
【０００６】
加えて、特許文献１において開示されるように、ＵＳＢデバイスが大容量ストレージデバイスとして用いられる。この場合、ＵＳＢデバイスがＰＣに接続されたあとに、オートラン機能を有するＷｉｎｄｏｗｓ（登録商標）オペレーティングシステムは、ＵＳＢデバイスが使用のために識別されることができるように、対応するドライバ等を起動する。しかし、この技術は、デジタルコンテンツをダウンロードするのに便利ではない。特に、この技術は、オートラン機能を有するＰＣにドライバ等をインストールする必要があり、一方でポータブルデバイスは、このＰＣ上にいかなるプログラムもインストールすることなくＰＣからデータを受信する必要がある。さらに、デジタル権利管理のために、アクセスされるデジタルコンテンツは、ポータブルデバイスの情報と関連付けられる必要がある。したがって、その情報のセキュリティが要求される。ＵＳＢポートを用いてその情報を送信することは、セキュリティ要件を満たすことができない。
【０００７】
同一出願人によって２００４年３月３日に出願され、２００５年１月５日に公開された特許文献２が、結合する方法を開示しており、この方法では、デジタル権利保護のハードウェア互換性を達成するために、デジタルコンテンツが、鍵共有メカニズムと組み合わせて、使用されるＰＣのハードウェア構成に基づいてある範囲において変更するハードウェアで合法的に使用できる。しかし、この方法は、一般的なデバイスに焦点を合わせており、ポータブルデバイスに便利にダウンロードおよび自動的に結合する問題を解決しない。
【０００８】
【特許文献１】国際公開第０３／０１２５７７号パンフレット「Ｄｅｖｉｃｅ−ｒｅｌａｔｅｄ  Ｓｏｆｔｗａｒｅ  Ｉｎｓｔａｌｌａｔｉｏｎ」
【特許文献２】中国特許出願第２００４１０００４７５１．７号明細書「ｈａｒｄｗａｒｅ−ｃｏｍｐａｔｉｂｌｅ  ｍｅｔｈｏｄｓ  ｆｏｒ  ｂｉｎｄｉｎｇ  ｄｉｇｉｔａｌ  ｗｏｒｋｓ  ｗｉｔｈ  ｈａｒｄｗａｒｅ」
【発明の開示】
【発明が解決しようとする課題】
【０００９】
上記から、著作権保護されたデジタル作品が便利および安全にポータブルデバイスにダウンロードできるように、ポータブルデバイスを使用することによりデジタル作品をダウンロードする必要がある。
【課題を解決するための手段】
【００１０】
従来技術の欠点を克服するために、本発明は、ポータブルデバイスの情報に自動的に結合されるデジタル作品をダウンロードする方法を提供する。この方法を用いることにより、ポータブルデバイスがポートを介してネットワーク端末に接続されたあとで、デジタル作品を購入または借用するプログラムが、ネットワーク端末上で自動的に起動できる。次に、ポータブルデバイスの情報に結合されるデジタル作品は、所望のデジタル作品が、デジタル作品を便利および安全にダウンロードするために選択およびクリックされたあとで、ポータブルデバイスに直接ダウンロードできる。
【００１１】
このために、本発明は、ポータブルデバイスの情報に自動的に結合されるデジタル作品をダウンロードする方法を提供し、この方法は、
ｉ）ポータブルデバイス１をネットワーク端末２に汎用ポートを介して接続するステップであって、ポータブルデバイス１は、ストレージデバイスとしてネットワーク端末により識別されるストレージモジュール４およびストレージモジュール４内に格納される実行可能なプログラムを備え、ネットワーク端末は、インターネットにアクセスできる、接続するステップと、
ｉｉ）デジタル作品の取引を処理するサーバ３にアクセスするために、ネットワーク端末２により実行可能なプログラムを自動的に実行するステップと、
ｉｉｉ）ネットワーク端末２を介してデジタル作品を購入または借用し、デジタル作品をポータブルデバイス１にダウンロードするステップであって、実行可能なプログラムは、デジタル作品がダウンロードのためにクリックされたあとに、ポータブルデバイス１の特性を暗号化し、次に暗号化された特性をサーバ３に送信し、デジタル作品は、暗号化された特性がデジタル作品に結合されたあとに、ポータブルデバイス１にダウンロードされるステップと
を含む。
【００１２】
さらに、ストレージモジュール４は、ネットワーク端末により実行可能であるが削除不可能である実行可能なプログラムを格納するように構成された読み取り専用ストレージを含む。
【００１３】
さらに、実行可能なプログラムおよびデジタル作品は、ネットワーク端末内のストレージデバイスとしてマッピングされるストレージモジュール４内に格納される。
【００１４】
代替として、ポータブルデバイスは、ネットワーク端末内の複数のストレージデバイスとしてマッピングされる複数のストレージを備え、少なくとも１つのストレージは、実行されるプログラムを格納する読み取り専用ストレージであり、それ以外のストレージは、デジタル作品および他の著作権保護されたデータを格納する読み取り可能および書き込み可能なストレージである。
【００１５】
さらに、ステップｉｉ）およびｉｉｉ）で、サーバ３に送信されるポータブルデバイスの特性は、サーバ３にログインするための識別子として動作する。
【００１６】
さらに、実行可能なプログラムによりサーバ３に送信される特性は、暗号化されたデータである。
【００１７】
さらに、実行可能なプログラムがサーバ３にログインし、デジタル作品を購入または借用するインタフェースにアクセスし、デジタル作品がダウンロードのためにクリックされたあとに、特性はデジタル作品に結合され、次にポータブルデバイス１の特性に結合されたデジタル作品は、ポータブルデバイス１のストレージモジュール４内に直接ダウンロードおよび格納される。
【００１８】
代替として、実行可能なプログラムがサーバ３にログインし、デジタル作品を購入または借用するインタフェースにアクセスするためにウェブブラウザを起動し、デジタル作品がダウンロードのためにクリックされたあとに、特性はデジタル作品に結合され、次にポータブルデバイス１の特性に結合されたデジタル作品は、ポータブルデバイス１のストレージモジュール４内に直接ダウンロードおよび格納される。
【００１９】
さらに、ポータブルデバイス１の送信された特性はサーバ３内に格納され、サーバ３により管理され、デジタル作品がユーザにより選択されたあとで、サーバ３はポータブルデバイス１の送信された特性を用いることによりデジタル作品の認証情報を暗号化し、次に暗号化されたデジタル作品はポータブルデバイス１にダウンロードされる。
【００２０】
さらに、ポータブルデバイス１の特性は、ポータブルデバイスが製造されるときに実行可能なプログラム内に書き込まれ、実行可能なプログラムにより直接読み取り可能である。
【００２１】
代替として、ポータブルデバイス１の特性は、ポータブルデバイス１をネットワーク端末２に接続するポートを介して実行可能なプログラムにより読み取られる。
【００２２】
本発明は以下の効果を有する。本発明において提供される方法によると、デジタル作品は、追加のハードウェアなしにおよび高コストをかけずに汎用ハードウェアポートを介してポータブルデバイスに便利および安全にダウンロードできる。また本方法は、熟練していないユーザが著作権保護されたデジタル作品を便利にダウンロードするために導入する。
【発明を実施するための最良の形態】
【００２３】
図１は、本発明の一実装を示し、ポータブルデバイス１、ネットワーク端末２およびサーバ３を含む。ポータブルデバイス１は、電子書籍リーダ、ＰＤＡ、携帯電話、ＭＰ３等であってよい。ネットワーク端末２は、インターネットにアクセスする機能を有するＰＣであってよい。サーバ３は、デジタル作品または他の商品に関する取引を処理するウェブサイトを実行しているサーバであってよい。ポータブルデバイスは、ＵＳＢポートなどの標準ポートを介してＰＣに接続され、ＰＣは、インターネットを介してこのサーバに接続される。ストレージモジュール４は、ＰＣ内で実行できるプログラム、ダウンロードされるデジタル作品等を格納するためのポータブルデバイス内に構成される。またポータブルデバイスは、ＣＰＵ、オペレーティングシステム、ならびにポータブルデバイスにおいてのみ実行可能なプログラムなどの他の構成要素を含んでもよい。
【００２４】
上述の実装によると、ポータブルデバイス１が汎用ポートを介してＰＣ２に接続されると、ストレージモジュール４は、ＰＣによりストレージデバイスとして識別され、ストレージモジュール内に格納されるプログラムＰは、ＰＣ２内で自動的に実行されるので、ユーザは、インターネットを介してデジタル作品の取引を処理するウェブサイトにアクセスできる。プログラムＰはＰＣ内でのみ実行可能であるので、ユーザは、ポータブルデバイス上で電子作品を購入または借用するより、ＰＣを活用できる。デジタル作品の著作権の保護の要求の観点から、プログラムＰは、ポータブルデバイス１の特性をアクセスされるデジタル作品に結合するように、ポータブルデバイス１をＰＣ２に関連付ける。特に、ユーザがデジタル作品をその作品を購入または借用するためにクリックするとき、プログラムＰは、ＰＣ２と接続されているポータブルデバイス１の特性を暗号化する。暗号された特性は、クリックされたデジタル作品に結合するためにサーバ３に送信される。このように、ポータブルデバイスの暗号化された特性に結合されるデジタル作品は、ポータブルデバイス１にダウンロードされる。
【００２５】
この実装によると、プログラムＰは、自動的にＰＣ２内で実行する。Ｗｉｎｄｏｗｓ（登録商標）オペレーティングシステムでは、ＰＣに挿入されたＵＳＢデバイスがストレージデバイスである場合、Ｗｉｎｄｏｗｓ（登録商標）は、ストレージデバイス内のａｕｔｏｒｕｎ．ｉｎｆファイルで自動的にコマンドを実行できる。この場合、プログラムＰを実行するコマンドをａｕｔｏｒｕｎ．ｉｎｆファイルにいれる必要がある。オペレーティングシステムがＷｉｎｄｏｗｓ（登録商標）ＸＰであり、ＵＳＢデバイスが携帯可能なストレージデバイスである場合、ａｕｔｏｒｕｎ．ｉｎｆファイルは、自動的に実行できない。したがって、Ｗｉｎｄｏｗｓ（登録商標）ＸＰでは、本発明のＵＳＢデバイスは、ポータブルデバイス以外の他の種類のストレージデバイスとして設計されている。
【００２６】
ポータブルデバイスの特性をデジタル作品に結合することは、様々な方法を介して実現できる。例えば、ポータブルデバイスのＩＤ番号は、ポータブルデバイスの特性として使用でき、この特性は、ポータブルデバイスの製造において設定される。このＩＤ番号をデジタル作品に結合するために、ポータブルデバイスのＩＤ番号は、メッセージダイジェストアルゴリズムなどの暗号化アルゴリズムを用いることによりデジタル形式に変換され、次に変換されたＩＤ番号の復号鍵が暗号化されるので、暗号化されたデジタル作品がこのポータブルデバイスによってのみ再生または読み取られることができるようになる。本発明では、結合は、特許文献２に開示されている処理のような優れた互換性を有する任意の処理を使用できるが、これに限定されない。
【００２７】
図２は、本発明の実施形態を示す。この実施形態では、ポータブルデバイスは、３つの領域に分割されているストレージデバイスを含む電子書籍リーダ５であってよい。第１の記憶領域は、ポータブルデバイス自体のためのプログラムおよびデータを格納するストレージモジュールＭ０（６）であり、オペレーティングシステム、読取りソフトウェア、著作権管理のためのプログラム等を含む。第２の領域は、プログラムＰを格納するストレージモジュールＭ１（７）である。第２の記憶領域は、リーダの製造においてあらかじめ設定される。第３の領域は、ダウンロードされた電子書籍を格納する読み取り可能および書き込み可能なストレージモジュールＭ２（８）である。各リーダは、そのデバイスの識別子としてそれ自体のＩＤ番号を有し、製造シリアル番号および他の特性を含む。
【００２８】
第２のストレージモジュールＭｌおよび第３のストレージモジュールＭ２は、リーダのＵＳＢポート９を介してＰＣに接続され、ＰＣ内のＥディスク（ＭＩ）およびＦディスク（Ｍ２）などの２つのストレージデバイスとして識別される。ａｕｔｏｒｕｎ．ｉｎｆファイルと共にプログラムＰがＥディスクに格納されているため、プログラムＰは、ＰＣ内で起動でき、自動的に実行できる。
【００２９】
特に、プログラムＰは、電子書籍の取引を処理するウェブサイトにアクセスする。取引のための詳細なフローが、具体的なウェブサイトに基づいて実現される。この実施形態では、リーダのＩＤ番号または暗号化されたＩＤ番号が、プログラムＰから取り出され、ＥＩＤ番号として記録される。次に、プログラムＰは、一意な識別子としてＥＩＤ番号を用いることによりウェブサイトにログインし、すなわち、ＥＩＤ番号はウェブサイトのユーザ管理と関連付けられるので、リーダのユーザは、いかなるユーザ名を入力することなしにウェブサイトにログインできる。この実施形態では、ＩＤ番号は、以下の任意の方法を介してプログラムＰにより取り出すことができる。第１は、ＵＳＢポートを介してＩＤ番号を取り出すことである。Ｗｉｎｄｏｗｓ（登録商標）オペレーティングシステムがポートを呼び出すためにハードウェアについてのドライバを必要とするため、ＩＤ番号は、ドライバがインストールされたあとでのみ、プログラムＰにより取り出すことができる。第２は、リーダが製造されるときにＩＤ番号またはＥＩＤ番号をプログラムＰ内に書き込むことにより、プログラムＰがドライバを必要とすることなく、ＩＤ番号またはＥＩＤ番号を直接読み取ることができる。
【００３０】
電子書籍を購入または借用する処理は、プログラムＰまたはプログラムＰにより起動されるウェブブラウザ内で実行できる。
【００３１】
電子書籍を購入または借用したあとに、ユーザは、電子書籍をダウンロードする。電子書籍の著作権を保護するために、この実施形態における電子書籍は、ダウンロードされる前にサーバ内で暗号化されるべきである。したがって、サーバは、電子書籍がダウンロードされる前に電子書籍の鍵情報を、ＥＩＤ番号を用いて暗号化する。次に、その鍵情報を有する電子書籍は、プログラムＰによりダウンロードされ、直接ストレージモジュールＭ２、すなわちＦディスクに格納される。
【００３２】
オペレーティングシステムおよびリーダ内の読み取りソフトウェアは、ストレージモジュールＭ２にアクセスしてＥＩＤ番号を取り出す。したがって、リーダは、電子書籍を読み出すために、取り出されたＥＩＤ番号を用いて暗号化された電子書籍を復号化できる。各リーダは一意なＥＩＤ番号を有するので、電子書籍および関連データは、任意の他のリーダによって読み取ることができない。したがって、電子書籍は、そのリーダに結合される。
【００３３】
本発明は、上述の実施形態に限定されない。ネットワーク端末２は、ネットワーキング機能を有する他の種類の端末であってよく、ＰＣ２およびサーバ３は不可欠であってよい。本発明の技術的な解決によって当業者により得られる他の実施形態は、本発明の技術革新の範囲内であるべきである。
【図面の簡単な説明】
【００３４】
【図１】本発明の実装を示す概略図である。
【図２】本発明の別の実装を示す概略図である。
【図３】本発明の流れ図である。
【図１】
2009516884.tif 000003
【図２】
2009516884.tif 000004
【図３】
2009516884.tif 000005
【国際調査報告】
2009516884.tif 000006
2009516884.tif 000007
2009516884.tif 000008
2009516884.tif 000009